(57)【要約】  哺乳瓶用乳首１０は、哺乳瓶から液体が漏出することを防止しつつ、該哺乳瓶から乳頭部１２を介して吸い出された液体に替えて空気を該哺乳瓶に導入させるために、一方向バルブ１６を乳首１０の乳頭部１２から離れて配置している。前記一方向バルブ１６は、内側に向いた窪み部からなり、該窪み部は互いに対向して傾斜すると共にスリットを有する尾根部に沿って会合する側壁１６ａ，１６ｂを備えている。本発明では、前記側壁１６ａ，１６ｂは、それらが歪曲されていない時には尾根部において互いに線状接触を形成し、且つ側壁の厚さが０．４ｍｍ未満であり、それによって該側壁は、それらが哺乳瓶内における増加圧力により作用を受けた時に互いに対して座屈し、尾根部から延びてそれから離れる方向に向かう表面に沿って密封接触を形成する。
2008534101.tif 000002
【特許請求の範囲】
【請求項１】
哺乳瓶から液体が漏出することを防止しつつ、該哺乳瓶から乳頭部を介して吸い出された液体に替えて空気を該哺乳瓶に導入させるために、一方向バルブを乳首の乳頭部から離れて配置してなる哺乳瓶用乳首であって、前記一方向バルブが内側に向いた窪み部からなり、該窪み部が、互いに対向して傾斜すると共にスリットを有する尾根部に沿って会合する側壁を備えたものにおいて、
前記側壁は、それらが歪曲されていない時には尾根部において互いに線状接触を形成し、且つ側壁の厚さが０．４ｍｍ未満であり、それによって該側壁は、それらが哺乳瓶内における増加圧力により作用を受けた時に互いに対して座屈し、尾根部から延びてそれから離れる方向に向かう界面上に密封接触を形成するようにしたことを特徴とする哺乳瓶用乳首。
【請求項２】
請求項１に記載の哺乳瓶用乳首において、窪み部における少なくとも一方の側壁が０．３ｍｍを越えない厚さを有する哺乳瓶用乳首。
【請求項３】
請求項１又は２に記載の哺乳瓶用乳首において、窪み部の側壁が厚さにおいて先細形状を呈し、尾根部付近で０．４ｍｍを越えない最小厚さを有する哺乳瓶用乳首。
【請求項４】
請求項１〜３の何れかに記載の哺乳瓶用乳首において、窪み部が少なくとも４ｍｍの深さを有する哺乳瓶用乳首。
【請求項５】
請求項１〜４の何れかに記載の哺乳瓶用乳首において、尾根部における側壁の接触線が、３ｍｍを上回る長さを有する哺乳瓶用乳首。
【請求項６】
請求項１〜５の何れかに記載の哺乳瓶用乳首において、窪み部が、尾根部において会合する２枚の平坦で略長方形又は台形の側壁及び２枚の略三角形の端壁を備えたテント状の形状構造を有する哺乳瓶用乳首。
【発明の詳細な説明】
【技術分野】
【０００１】
本発明は、哺乳瓶用乳首に関わるものである。
【背景技術】
【０００２】
乳児等は、彼等の母親の乳房から、通気の必要性なしに連続的に乳を飲むことができる。このため、乳児等が哺乳瓶の乳首からの乳飲みに移行する時、彼等は未だ通気の必要性に気付くことがない。もし、乳児が空気を哺乳瓶に導入し得るように吸引を停止することがなければ、哺乳瓶内の圧力が低下し、結果的に生じる逆吸引作用により、乳児は哺乳瓶から液体を吸引することがさらに困難になる。このことは、乳児の吸飲努力を無にすることは別として、二つのより重大な結果を生じる。第一に、次第に増加する吸引力を加える必要性に伴って、乳児の口唇は乳首周りを効果的に密封することが困難になり、乳児は最後は液体と共に空気を飲み込むことになるが、閉じ込められた気体は乳児に疝痛を生じさせる。第二に、乳首の半球状部が内側に潰れ、それにより乳児の口唇が乳頭部の把握を維持することが困難になる。
【０００３】
従来、哺乳瓶の乳首に通気させるために多数の試行がなされている。乳首はゴムやシリコーンのような弾性材から作られているが、前記の試行は、通常、乳首における乳頭部から離れた位置の何処かに小さなスリット又は穴を穿設することを含んでいる。如何なる通気性開口部にとっても、哺乳瓶から液体が漏出することを許容するべきでなく、その場合に、通気のための開口部の開放と漏出の防止との間の二律背反性が存在することは重要なことである。
【０００４】
スリット／穴を非常に小さく且つ厚い壁で形成することにより漏出を防止することは、通常知られた手段である。具体的には、漏出防止は、吸引のない時にスリット／穴を閉鎖位置に保持し得る壁の強さに依存するように行われる。
【０００５】
通常知られた改良は、漏出しようとする液体の圧力がリップ部を互いの方向に付勢することに資するように、内側に向いた窪み部の先端にスリットを配置することを含んでいる。
【０００６】
このような先行技術の試行は、次のような理由で、完全に成功したものにはなっていない。バルブ材の厚さは、スリットが通気のために開口する前に哺乳瓶内に実質的な吸引レベルが存在する必要性を生じさせ、その時でさえも、それは適切な空気流量の通気を得るための必要な開口を阻害することになる。バルブ材の厚さは、さらに、スリットの閉鎖を促進するための内部圧力の伝達を制限する。通常の小規模な内側方向の窪み部は、効果的な閉鎖力に築き上げるための十分な面積を有しておらず、そしてさらに、（漏出を制限するための）スリットの短さは、適切な通気のための十分な開口を提供するには小さ過ぎるものである。
【０００７】
前記の問題を克服するために、ドイツ特許出願第２９９０６８４９号には、哺乳瓶から液体が漏出することを防止しつつ、哺乳瓶から乳頭部を介して吸い出された液体に替えて空気を該哺乳瓶に導入させるために、一方向バルブを乳首壁に配置してなる哺乳瓶用乳首が記載され、前記構成における一方向バルブは内側に向いた窪み部からなり、該窪み部は、互いに対向して傾斜すると共に内側端部において互いの方向に曲げてスリットに沿って会合する側壁を有している。この配置は、哺乳瓶内の液体がバルブを通過して漏出しようとする時に、該液体の重量がスリットのリップ部、まさにリップ部のみを付勢して閉鎖状態にするものである。この理由は、密封領域を一本の線に集中させるという公知の手段によるものであり、これは（ドイツ特許出願第２９９０６８４９号で引用されているように）「リップシール」として知られている。
【０００８】
前記提案の欠点は、リップシールに依存することで、該リップシールが、これらのリップ部間に留まる液体中の粒子に影響され易くなり、好ましくない漏出の危険を冒すことになることである。
【特許文献１】ドイツ特許出願第２９９０６８４９号
【発明の開示】
【発明が解決しようとする課題】
【０００９】
従って、本発明の目的は、少量の混じり物を許容し、しかも通気バルブを介する漏出の防止が、吸引のない時に開口部を閉鎖状態に保持するために壁の強さとスリットの小ささに依存することがない哺乳瓶用乳首を提供することにあり、その結果として、他方を犠牲にして一方を得るのではなく、密封効率及び通気の容易性の両方を促進することが可能になる。
【課題を解決するための手段】
【００１０】
本発明によれば、哺乳瓶から液体が漏出することを防止しつつ、該哺乳瓶から乳頭部を介して吸い出された液体に替えて空気を該哺乳瓶に導入させるために、一方向バルブを乳首の乳頭部から離れて配置してなる哺乳瓶用乳首であって、前記一方向バルブが内側に向いた窪み部からなり、該窪み部が、互いに対向して傾斜すると共にスリットを有する尾根部に沿って会合する側壁を備えたものにおいて、
前記側壁は、それらが歪曲されていない時には尾根部において互いに線状接触を形成し、且つ側壁の厚さが０．４ｍｍ未満であり、それによって該側壁は、それらが哺乳瓶内における増加圧力により作用を受けた時に互いに対して座屈し、尾根部から延びてそれから離れる方向に向かう界面上に密封接触を形成するようにしたことを特徴とする哺乳瓶用乳首が提供される。
【００１１】
本発明の好ましい実施態様では、窪み部の深さは４ｍｍを上回り、またスリットは３ｍｍを越える長さを有する。
【００１２】
本発明の好ましい実施態様における一方向バルブを少なくとも一つの広い面積（４ｍｍ×４ｍｍ）、薄い断面（厚さ０．４ｍｍ未満）の側壁で形成し、窪み部の尾根部に沿って長いスリット（３ｍｍ）を配備することにより、バルブを介して漏出しようとする哺乳瓶内の液体の重量により力が発生し、この力が側壁を互いの方向に座屈させ、尾根部のスリットを閉鎖状態に保持する。水圧が増加するにつれて、バルブを閉鎖状態に保持するために加えられる力も増加する。従って、バルブは、閉鎖状態のままにするためにそれ自体の壁の弾力性に依存せず、また漏出を最小限度にするためにスリットの小ささにも依存せずに、漏出しようとする液体の圧力に依存するものである。
【００１３】
液体の圧力が大気圧以下になっている時（幼児が乳首を吸引していることで）、側壁の薄さがそれらを容易に分離させてスリットを開放し、空気を哺乳瓶に導入させるが、これは、スリットを長くすることによりさらに助長される。このようにして、哺乳瓶内における陰圧の増強は回避される。結果として、バルブを介する漏出を依然として防止しながら、液体が哺乳瓶から容易に且つ連続的に吸い出されることが可能である。
【００１４】
本発明と先行技術との相違は、単にサイズや寸法の問題ではなく、本発明はその作用を奏するための異なった原理に依存している。これは、通常の先行技術では、密封性が単に通気性能を低下させることを促進し、逆に通気性能もまた密封性を低下させることを促進するものであり、従って密封性と通気性能の間で妥協を達成させることが必要とされることに注目することから、最もよく理解することができる。それに対して、本発明では、密封性を促進させつつ通気性能を向上させることができ、それによって両方の機能が最適化されるので、そのような妥協の必要性はない。
【００１５】
尤も、このようなバルブのサイズを無制限に増加さることができないことに注目するべきであり、その理由は、仮にそのバルブが大き過ぎて、例えば（特に壁が薄く、）１ｃｍ2を上回る基底面積を有するような場合は、圧力を受けてバルブが過剰に変形し、延いては反転さえも招く恐れが生じる。
【００１６】
本発明の好ましい実施態様では、窪み部は、スリットの尾根部に沿って会合する２枚の平坦で略長方形又は台形の側壁及び２枚の略三角形の端壁を備えたテント状の形状構造を有している。
【発明を実施するための最良の形態】
【００１７】
ここで、本発明を、実施例により、添付図面を参照してさらに説明する。
図１は、本発明に係る通気性乳首の部分断面図である。
図２は、図１の乳首の細部を上方から見た平面図であり、通気バルブを示している。
図３は、図２におけるIII-III線に沿って切断された断面図である。
図４は、図２におけるIV-IV線に沿って切断された断面図であり、バルブの側壁は非歪曲状態にある。
図５は、図４の断面図に類似した断面図であり、バルブの側壁に及ぼす哺乳瓶内の増加圧力の作用効果を示している。
図６は、図５の断面図に類似した断面図であり、小さな粒子が密封表面に挟まれた時でさえも機能するバルブ密封の性能を明示している。
【００１８】
図中の乳首１０は、通常の乳頭部１２と、図示されている通気性バルブに関係する乳首部品のみを有している。一般に広く知られるように、フランジ１４が乳首１０の基部を取り囲んでいる。該フランジ１４は、密封リングとして作用し、使用に際して、哺乳瓶の頂部と該哺乳瓶の口部にねじ込まれる環状リングとの間に挟まれる。哺乳瓶と環状リングは、それらもまた公知であることから図示されていない。
【００１９】
乳首及び通気バルブが造られている可撓性材料もまた公知のものであってもよく、典型的には、噛まれ、殺菌消毒されることに対して損傷や穿孔を受けることなく耐えることができるシリコーンやエラストマーである。
【００２０】
概して図中に数字１６の符号で指示されている一方向に通気させる一方向バルブは、２枚の長方形又は台形の側壁１６ａ，１６ｂ及び２枚の三角形の端壁１６ｃにより形成されたテント状構造を有し、該テント状構造の尾根部において側壁１６ａ，１６ｂはスリットに沿って会合し、該スリットは、哺乳瓶内の圧力が大気圧以下である時は空気を該哺乳瓶に導入させるために開放する。しかしながら、液体が側壁１６ａ，１６ｂを加圧する時、それらは互いの方向に付勢され、それによってスリットを閉鎖すると共に液体が漏出することを防止する。
【００２１】
本発明において、一方又は両方の側壁の厚さは０．４ｍｍ未満、好ましくは０．３ｍｍ未満である。この小さな厚さは、一方又は両方の側壁を柔軟にし、それがバルブを開閉するために容易に変形することを可能にしている。圧力差に対するバルブの応答性は、側壁の面積を増加することにより促進され、これは、本発明の好ましい実施態様では、窪み部の深さを４ｍｍ又はそれを越えて増加し、スリットの長さを３ｍｍ又はそれを越えて増加することにより達成される。
【００２２】
側壁１６ａ，１６ｂは、それらの全高さに沿って一定の厚さを有している必要はなく、それらは、図４に示されるように、尾根部の方向に先細形状を呈していてもよい。この場合、側壁の厚さは、底部において０．３ｍｍを越えて、又は０．４ｍｍさえも越えて開始し、スリット付近では正に０．３ｍｍさえも下回ってもよい。
【００２３】
このような構造が、極めて低い吸引の下にスリットを開放して哺乳瓶を通気させることは明らかである。しかしながら、吸引がない時における漏出の防止は、（漏出が生じる可能性があるのは吸引がない時のみであるが）、側壁の強さによりもたらされるものではなく、即ち、それら側壁の薄さ及び大きなサイズにより、漏出しようとする液体により側壁に加えられる圧力に対して、側壁が、図５及び６に示されるように、陥没するように応答させられるのである。
【００２４】
詳細には、密封効率を促進する三つの事柄が生起する。第一に、側壁の大きなサイズは、液体の圧力をより大きな力に変換する。第二に、側壁の薄さは、該側壁を、押圧されて閉鎖される動作に対してより感応し易くする。第三に、側壁の大きなサイズは、該側壁を、所定の力を受けてより湾曲し易くする。
【００２５】
前記の三つの作用効果により引き起こされる側壁の陥没は、結果的に、線状密封（図４）から面状密封（図５及び６）へと伸展する密封を生起させる。この点において、側壁間の間隙は、それらが会合するまで段差無しに連続的に漸減し、それによって該間隙は、側壁が座屈するにつれて、密封接触を空き領域上に拡大させるために連続的に閉鎖されることに注目すべきである。これは先行技術と対比されるべきことであり、該先行技術では、互いに密封接触を形成するリップ部の領域が変化せずに、リップ部間の圧力が増加するだけである。該先行技術では、仮にリップシールの一部に粒子が引っ掛かった場合は、漏出が生じることになる。しかしながら、本発明では、図６に示されるように、小さな粒子は、それらの周囲でそれらとの密封が確立されるので、許容されることができる。
【００２６】
前記のバルブは、それが乳頭部に接近し過ぎない限り、乳首の何処に配置されてもよい。その好ましい位置は、乳首の基部における環状フランジ１４の内側半径付近又は乳首の側壁である。
【図面の簡単な説明】
【００２７】
【図１】本発明に係る通気性乳首の部分断面図である。
【図２】図１の乳首の細部を上方から見た平面図であり、通気バルブを示している。
【図３】図２におけるIII-III線に沿って切断された断面図である。
【図４】図２におけるIV-IV線に沿って切断された断面図であり、バルブの側壁は非歪曲状態にある。
【図５】図４の断面図に類似した断面図であり、バルブの側壁に及ぼす哺乳瓶内の増加圧力の作用効果を示している。
【図６】図５の断面図に類似した断面図であり、小さな粒子が密封表面に挟まれた時でさえも機能するバルブ密封の性能を明示している。
【符号の説明】
【００２８】
１０  乳首
１２  乳頭部
１４  フランジ
１６  一方向バルブ
１６ａ，１６ｂ  側壁
【図１】
2008534101.tif 000003
【図２】
2008534101.tif 000004
【図３】
2008534101.tif 000005
【図４】
2008534101.tif 000006
【図５】
2008534101.tif 000007
【図６】
2008534101.tif 000008
【手続補正書】
【提出日】平成20年3月30日(2008.3.30)
【手続補正１】
【補正対象書類名】特許請求の範囲
【補正対象項目名】全文
【補正方法】変更
【補正の内容】
【特許請求の範囲】
【請求項１】
哺乳瓶から液体が漏出することを防止しつつ、該哺乳瓶から乳頭部を介して吸い出された液体に替えて空気を該哺乳瓶に導入させるために、一方向バルブ（１６）を乳首の乳頭部から離れて配置してなる哺乳瓶用乳首（１０）であって、前記一方向バルブ（１６）が内側に向いた窪み部からなり、該窪み部が、互いに対向して傾斜すると共にスリットを有する尾根部に沿って会合する側壁（１６ａ，１６ｂ）を備えたものにおいて、
前記側壁（１６ａ，１６ｂ）は、それらが歪曲されていない時には尾根部において互いに線状接触を形成し、且つ側壁の厚さが０．４ｍｍ未満であり、それによって該側壁は、それらが哺乳瓶内における増加圧力により作用を受けた時に互いに対して座屈し、尾根部から延びてそれから離れる方向に向かう界面上に密封接触を形成するようにしたことを特徴とする哺乳瓶用乳首。
【請求項２】
請求項１に記載の哺乳瓶用乳首において、窪み部における少なくとも一方の側壁（１６ａ，１６ｂ）が０．３ｍｍを越えない厚さを有する哺乳瓶用乳首。
【請求項３】
請求項１又は２に記載の哺乳瓶用乳首において、窪み部の側壁（１６ａ，１６ｂ）が厚さにおいて先細形状を呈し、尾根部付近で０．４ｍｍを越えない最小厚さを有する哺乳瓶用乳首。
【請求項４】
請求項１〜３の何れかに記載の哺乳瓶用乳首において、窪み部が少なくとも４ｍｍの深さを有する哺乳瓶用乳首。
【請求項５】
請求項１〜４の何れかに記載の哺乳瓶用乳首において、尾根部における側壁（１６ａ，１６ｂ）の接触線が、３ｍｍを上回る長さを有する哺乳瓶用乳首。
【請求項６】
請求項１〜５の何れかに記載の哺乳瓶用乳首において、窪み部が、尾根部において会合する２枚の平坦で略長方形又は台形の側壁（１６ａ，１６ｂ）及び２枚の略三角形の端壁（１６ｃ）を備えたテント状の形状構造を有する哺乳瓶用乳首。
【国際調査報告】
2008534101.tif 000009
2008534101.tif 000010
2008534101.tif 000011